(57)【要約】【課題】無線ＬＡＮアクセスポイントの有線ＬＡＮインターフェース及び無線ＬＡＮインターフェースの両方について正常に動作しているか否かを同時に確認できるＬＡＮ通信システムを提供する。【解決手段】本発明によるＬＡＮ通信システムに含まれる無線ＬＡＮアクセスポイントは、自身の有線及び無線ＬＡＮインターフェースの内の一方のインターフェースを宛先とした応答要求信号を、他方のインターフェースをして、他の無線ＬＡＮアクセスポイントを介して送信せしめ、当該応答要求信号に応じた当該一方のＬＡＮインターフェースからの応答信号を、当該他方のインターフェースが受信したか否かを判別し、当該応答信号を受信しなかったと判別した場合に、当該他の無線ＬＡＮアクセスポイントにおける障害発生を表す障害発生通知信号を出力する。【選択図】図１
2009065617.tif 000002
【特許請求の範囲】
【請求項１】
有線ＬＡＮを介して情報信号を送受信する有線ＬＡＮインターフェースと、無線ＬＡＮ機能により情報信号を送受信し且つ前記有線ＬＡＮインターフェースとの間で信号の授受が自在な無線ＬＡＮインターフェースと、を各々が含む複数の無線ＬＡＮアクセスポイントを含むＬＡＮ通信システムであって、
前記複数の無線ＬＡＮアクセスポイントの内の少なくとも１つは、
自身が属する無線ＬＡＮアクセスポイントに含まれる有線ＬＡＮインターフェース及び無線ＬＡＮインターフェースの内の一方のインターフェースを宛先とした応答要求信号を他方のインターフェースから他の無線ＬＡＮアクセスポイントを介して送信せしめる応答要求信号送信手段と、
前記応答要求信号に応じて前記他の無線ＬＡＮアクセスポイントを介して応答信号を返信する応答信号返信手段と、
前記応答要求信号に応じた前記一方のＬＡＮインターフェースからの応答信号を前記他方のインターフェースが受信したか否かを判別する応答信号受信判別手段と、
前記応答信号受信判別手段による前記応答信号を受信しなかったという判別結果に応じて前記他の無線ＬＡＮアクセスポイントにおける障害発生を表す障害発生通知信号を出力する通知信号出力手段と、を含むことを特徴とするＬＡＮ通信システム。
【請求項２】
前記無線ＬＡＮアクセスポイントは、前記応答信号受信判別手段による前記応答信号を受信しなかったという判別結果に応じて前記応答要求信号を再送せしめる応答要求信号再送手段を含むことを特徴とする請求項１に記載のＬＡＮ通信システム。
【請求項３】
前記応答要求信号再送手段は、前記応答要求信号の再送回数をカウントする再送回数カウント手段を含み、前記再送回数が限界再送回数以下である場合にのみ前記応答要求信号を再送せしめることを特徴とする請求項２に記載のＬＡＮ通信システム。
【請求項４】
前記応答要求信号及び応答信号はＰＩＮＧ信号であることを特徴とする請求項１に記載のＬＡＮ通信システム。
【請求項５】
前記障害発生通知信号はＳＮＭＰ−Ｔｒａｐ信号であることを特徴とする請求項１に記載のＬＡＮ通信システム。
【発明の詳細な説明】
【技術分野】
【０００１】
本発明は、各々が有線ＬＡＮインターフェース及び無線ＬＡＮインターフェースを有する複数の無線ＬＡＮアクセスポイントを含むＬＡＮ通信システムに関する。
【背景技術】
【０００２】
無線ＬＡＮのアクセスポイントが正常に動作していることを確認する方法として、有線ＬＡＮに接続されている監視装置からアクセスポイントの有線側ＬＡＮインターフェースへ定期的にＰＩＮＧ（Packet INternet Groper）を送信して、当該監視装置が当該アクセスポイントからの応答を受信できれば、当該アクセスポイントが正常に動作していると判定する方法が知られている。
【０００３】
例えば、非特許文献１には、管理端末を有線ＬＡＮ上の同じＩＰサブネット内に設置し、当該管理端末からアクセスポイントのＩＰアドレスを指定したＰＩＮＧを送信して、”Ｒｅｐｌｙ”の応答があれば、当該アクセスポイントが正常に動作しているとする確認方法が示されている。
【非特許文献１】ＮＥＣインフロンティア株式会社ホームページhttp://www.necinfrontia.co.jp/products/wlan/jp/_Public/productFiles/PK-WL007/doc/SG_PK-WL007_R04.pdf  「無線ＬＡＮアクセスポイントＳ（ＰＫ−ＷＬ００７）スタートアップガイド」
【発明の開示】
【発明が解決しようとする課題】
【０００４】
しかしながら、非特許文献１に示される方法の場合、アクセスポイントの有線ＬＡＮインターフェースが正常に動作していることについては確認できるものの、無線ＬＡＮインターフェースが正常に動作しているか否かについては確認できない。そのため、無線ＬＡＮインターフェースの障害があったとしても、上記の監視方法では無線ＬＡＮインターフェースに異常が無いとみなされてしまうという問題点があった。
【０００５】
本発明は上記した如き問題点に鑑みてなされたものであって、無線ＬＡＮアクセスポイントの有線ＬＡＮインターフェース及び無線ＬＡＮインターフェースの両方について正常に動作しているか否かを同時に確認できるＬＡＮ通信システムを提供することを目的とする。
【課題を解決するための手段】
【０００６】
本発明によるＬＡＮ通信システムは、有線ＬＡＮを介して情報信号を送受信する有線ＬＡＮインターフェースと、無線ＬＡＮ機能により情報信号を送受信し且つ前記有線ＬＡＮインターフェースとの間で信号の授受が自在な無線ＬＡＮインターフェースと、を各々が含む複数の無線ＬＡＮアクセスポイントを含むＬＡＮ通信システムであって、前記複数の無線ＬＡＮアクセスポイントの内の少なくとも１つは、自身が属する無線ＬＡＮアクセスポイントに含まれる有線ＬＡＮインターフェース及び無線ＬＡＮインターフェースの内の一方のインターフェースを宛先とした応答要求信号を他方のインターフェースから他の無線ＬＡＮアクセスポイントを介して送信せしめる応答要求信号送信手段と、前記応答要求信号に応じて前記他の無線ＬＡＮアクセスポイントを介して応答信号を返信する応答信号返信手段と、前記応答要求信号に応じた前記一方のＬＡＮインターフェースからの応答信号を前記他方のインターフェースが受信したか否かを判別する応答信号受信判別手段と、前記応答信号受信判別手段による前記応答信号を受信しなかったという判別結果に応じて前記他の無線ＬＡＮアクセスポイントにおける障害発生を表す障害発生通知信号を出力する通知信号出力手段と、を含むことを特徴とする。
【発明の効果】
【０００７】
本発明のＬＡＮ通信システムによれば、無線ＬＡＮアクセスポイントは、自身が属する無線ＬＡＮアクセスポイントに含まれる有線ＬＡＮインターフェース及び無線ＬＡＮインターフェースの内の一方のインターフェースを宛先とした応答要求信号を他方のインターフェースから他の無線ＬＡＮアクセスポイントを介して送信し、応答要求信号に応じて他の無線ＬＡＮアクセスポイントを介して応答信号を返信するため、一度の応答要求信号送受信で監視対象の無線ＬＡＮアクセスポイントの有線及び無線ＬＡＮインターフェースの両方について障害発生の有無を確認することができる。
【発明を実施するための最良の形態】
【０００８】
以下、本発明に係る実施例について添付の図面を参照しつつ詳細に説明する。
【実施例１】
【０００９】
図１は本発明によるＬＡＮ通信システム１を表すブロック図である。ＬＡＮ通信システム１は、無線ＬＡＮアクセスポイント１００−１〜１００−ｎと（ここでのｎは2以上の整数）、監視装置２００と、有線ＬＡＮ３００と、を含む。無線ＬＡＮアクセスポイント１００−１〜１００−ｎの各々は、自身が有する有線ＬＡＮ用のインターフェースにより、有線ＬＡＮ３００と接続されている。また、無線ＬＡＮアクセスポイント１００−１〜１００−ｎの各々は、自身が有する無線ＬＡＮ用のインターフェースの機能により、相互に無線ＬＡＮ通信が可能である。監視装置２００は、自身が有する有線ＬＡＮ用のインターフェースにより、有線ＬＡＮ３００と接続されている。
【００１０】
無線ＬＡＮアクセスポイント１００−１〜１００−ｎの内の少なくとも１つは、自身を除く無線ＬＡＮアクセスポイント１００−１〜１００−ｎのいずれかにおける障害発生有無を、通信信号の疎通確認を通じて判断し、当該判断の結果を監視装置２００に通知する手段を備えている。
【００１１】
無線ＬＡＮアクセスポイント１００−１は、有線ＬＡＮインターフェース１１０−１と、
無線ＬＡＮインターフェース１２０−１と、疎通判定部１３０−１と、を含む。また、無線ＬＡＮアクセスポイント１００−２〜１００−ｎの各々も、無線ＬＡＮアクセスポイント１００−１と同様の機能ブロックを含む。例えば、無線ＬＡＮアクセスポイント１００−ｎは、有線ＬＡＮインターフェース１１０−ｎと、無線ＬＡＮインターフェース１２０−ｎと、疎通判定部１３０−ｎと、を含む（ｎは2以上の整数）。
【００１２】
有線ＬＡＮインターフェース１１０−１は、有線ＬＡＮ３００とのインターフェース機能を有し、有線ＬＡＮ３００を介して信号を送受信できる。
【００１３】
無線ＬＡＮインターフェース１２０−１は、アクセスポイント用無線ＬＡＮインターフェース１２１−１と、ステーション用無線ＬＡＮインターフェース１２２−１と、を含む。
【００１４】
アクセスポイント用無線ＬＡＮインターフェース１２１−１は、ステーション用無線ＬＡＮインターフェース１２２−２〜１２２−ｎの内のいずれか、若しくは、通常の無線ＬＡＮ機能を有する無線ＬＡＮ通信端末（図示せず）からの接続要求に応じて、これらと無線ＬＡＮ接続し、信号の送受信を行う。
【００１５】
ステーション用無線ＬＡＮインターフェース１２２−１は、アクセスポイント用無線ＬＡＮインターフェース１２１−２〜１２１−ｎの内のいずれかに、無線ＬＡＮ規格であるＩＥＥＥ８０２．１１に規定されるインフラストラクチャモードにおけるクライアントとして無線ＬＡＮ接続し、信号の送受信を行う。
【００１６】
有線ＬＡＮインターフェース１１０−１及び無線ＬＡＮインターフェース１２０−１は、必要に応じて無線ＬＡＮアクセスポイント１００−１内において互いに信号を授受できる。例えば、有線ＬＡＮインターフェース１１０−１は、無線ＬＡＮ側のインターフェースを宛先とする信号を受信した場合、当該信号を無線ＬＡＮインターフェース１２０−１へ与える。反対に無線ＬＡＮインターフェース１２０−１は、有線ＬＡＮ側のインターフェースを宛先とする信号を受信した場合、当該信号を有線ＬＡＮインターフェース１１０−１へ与える。
【００１７】
ステーション用無線ＬＡＮインターフェース１２２−１は、有線ＬＡＮインターフェース１１０−１を宛先とした応答要求信号を、無線ＬＡＮ接続を確立しているアクセスポイント用無線ＬＡＮインターフェース（アクセスポイント用無線ＬＡＮインターフェース１２１−２〜１２１−ｎの内のいずれか）に送信する応答要求信号送信機能を有する。また、有線ＬＡＮインターフェース１１０−１は、応答要求信号に応じて、ステーション用無線ＬＡＮインターフェース１２２−１を宛先とする応答信号を返信する応答信号返信機能を有する。
【００１８】
応答要求信号送信機能及び応答信号返信機能は、一般に有線若しくは無線の通信ネットワークを介して互いに接続されている通信機器間の接続状態（通信信号の疎通状態）を確認するために用いられるＰＩＮＧ（Packet INternet Groper）機能により実現される。ＰＩＮＧは、ＩＥＴＦ(Internet Engineering Task Force)が発行したＲＦＣ(request for comment)７９２に規定されるＩＣＭＰ(Internet Control Message Protocol)を利用して信号（パケット）を送受信する。ＩＣＭＰパケットに含まれるＴｙｐｅ値を８としたものがＥＣＨＯ要求と呼ばれており、応答要求信号に相当する。ＩＣＭＰパケットに含まれるＴｙｐｅ値を０としたものがＥＣＨＯ応答と呼ばれており、応答信号に相当する。以下、応答要求信号及び応答信号をＰＩＮＧ信号と総称する。ＰＩＮＧ信号における宛先は、例えば１９２．１６８．０．１の如きＩＰ（Internet Protocol）アドレスにより指定できる。
【００１９】
ステーション用無線ＬＡＮインターフェース１２２−１が、Ｔｙｐｅ値を８としたＩＣＭＰパケット（応答要求信号）を、有線ＬＡＮインターフェース１１０−１を宛先として送信した場合、当該ＩＣＭＰパケットを受信した有線ＬＡＮインターフェース１１０−１は、Ｔｙｐｅ値を０としたＩＣＭＰパケット（応答信号）を、ステーション用無線ＬＡＮインターフェース１２２−１を宛先として返信する。応答要求信号が有線ＬＡＮインターフェース１１０−１に到達しなかった場合には、信号の送受信経路上にある無線ＬＡＮアクセスポイント若しくはルータ（図示せず）などが、Ｔｙｐｅ値を３としたＩＣＭＰパケット（エラーメッセージ）をステーション用無線ＬＡＮインターフェース１２２−１に対して送信する。
【００２０】
例えば、ステーション用無線ＬＡＮインターフェース１２２−１がアクセスポイント用無線ＬＡＮインターフェース１２１−２との間に無線ＬＡＮ接続を確立している場合、ステーション用無線ＬＡＮインターフェース１２２−１は、無線ＬＡＮ機能によりアクセスポイント用無線ＬＡＮインターフェース１２１−２に応答要求信号を送信する。このとき、アクセスポイント用無線ＬＡＮインターフェース１２１−２は、応答要求信号を有線ＬＡＮインターフェース１１０−２に与える。有線ＬＡＮインターフェース１１０−２は有線ＬＡＮ３００を介して応答要求信号を有線ＬＡＮインターフェース１１０−１へ送信する。
【００２１】
有線ＬＡＮインターフェース１１０−１は、応答要求信号に応じて、ステーション用無線ＬＡＮインターフェース１２２−１を宛先とする応答信号を返信する。このとき、有線ＬＡＮインターフェース１１０−１は、有線ＬＡＮ３００を介して応答信号を有線ＬＡＮインターフェース１１０−２へ送信する。有線ＬＡＮインターフェース１１０−２は応答信号をアクセスポイント用無線ＬＡＮインターフェース１２１−２に与える。アクセスポイント用無線ＬＡＮインターフェース１２１−２は、応答信号を無線ＬＡＮ機能によりステーション用無線ＬＡＮインターフェース１２２−１に送信する。ステーション用無線ＬＡＮインターフェース１２２−１は、無線ＬＡＮ機能により応答信号を受信する。
【００２２】
このように、無線ＬＡＮアクセスポイント１００−１が、無線ＬＡＮアクセスポイント１００−２に含まれている有線ＬＡＮインターフェース１１０−２及び無線ＬＡＮインターフェース１２０−２を介して、応答要求信号及び応答信号を送受信することにより、すなわち、通信信号の疎通確認をすることにより、無線ＬＡＮアクセスポイント１００−２の有線ＬＡＮ及び無線ＬＡＮインターフェースに正常に動作しているか否か（障害発生の有無）を確認することができる。
【００２３】
疎通判定部１３０−１は、ステーション用無線ＬＡＮインターフェース１２２−１をして、有線ＬＡＮインターフェース１１０−１を宛先とした応答要求信号を、アクセスポイント用無線ＬＡＮインターフェース１２１−２〜１２１−ｎの内のいずれかに送信せしめる応答要求信号送信手段を有する。また、疎通判定部１０４−１は、ステーション用無線ＬＡＮインターフェース１２２−１が応答要求信号を送信した時点から所定判別時間が経過するまでの間に、当該応答要求信号に応じた有線ＬＡＮインターフェース１１０−１からの応答信号を、ステーション用無線ＬＡＮインターフェース１２２−１が受信したか否かを判別する応答信号受信判別手段を有する。所定判別時間には特に制限は無く、疎通判定部１３０−１に予め設定されていれば良い。
【００２４】
疎通判定部１３０−１は、応答信号受信判別手段によるステーション用無線ＬＡＮインターフェース１２２−１が所定判別時間内に応答信号を受信できなかったという判別結果に応じて、応答要求信号を再送せしめる応答要求信号再送手段を有する。また、応答要求信号再送手段は、応答要求信号を再送せしめる毎に、再送回数をカウントする再送回数カウント手段を備えている。疎通判定部１３０−１は、応答要求信号再送手段により、ステーション用無線ＬＡＮインターフェース１２２−１が所定判別時間に応答信号を受信しなかったと判別した場合でも、実際の再送回数が限界再送回数を超えていない場合、応答要求信号を再送せしめる。限界再送回数には特に制限は無く、疎通判定部１３０−１に予め設定されていれば良い。
【００２５】
疎通判定部１３０−１は、応答信号受信判別手段によるステーション用無線ＬＡＮインターフェース１２２−１が所定判別時間内に応答信号を受信できなかったという判別結果に応じて、監視対象である無線ＬＡＮアクセスポイント１００−２に障害が発生した旨を、障害発生通知信号にて有線ＬＡＮ３００を介して監視装置２００に通知する。
【００２６】
疎通判定部１３０−１は、一般的なネットワーク機器の障害監視に用いられるＳＮＭＰ(Simple Network Management Protocol)−Ｔｒａｐなどにより、障害発生通知信号を送信する。ＳＮＭＰは、ＩＥＴＦが発行したＲＦＣ１１５７に規定されるプロトコルである。ＳＮＭＰによって管理情報をやりとりする方法には、大別してＭＩＢとＴｒａｐという２つ方法があるが、障害監視には即時性が求められるため、非同期な特性を有するＳＮＭＰ−Ｔｒａｐを用いる方が適している。
【００２７】
無線ＬＡＮアクセスポイント１００−２〜１００−ｎの各々も、上記した無線ＬＡＮアクセスポイント１００−１と同様の機能を有する。
【００２８】
監視装置２００は、ＬＡＮ通信システム１のセキュリティ監視のための装置であり、無線ＬＡＮアクセスポイント１００−１〜１００−ｎの各々のセキュリティ状態を管理する。監視装置２００は、無線ＬＡＮアクセスポイント１００−１〜１００−ｎの各々の動作状態を表す管理テーブルを備えており、有線ＬＡＮ３００を介して障害発生通知信号を受信した場合に、当該管理テーブルにおける、通知の対象となっている無線ＬＡＮアクセスポイントの動作状態を、正常状態から障害状態に更新する。
【００２９】
図２は、疎通判定部１３０−１による疎通判定処理ルーチンを表すフローチャートである。以下、図２を参照しつつ、無線ＬＡＮアクセスポイント１００−１が無線ＬＡＮアクセスポイント１００−２における障害発生有無を確認する場合の疎通判定処理について説明する。ここでは、既にステーション用無線ＬＡＮインターフェース１２２−１がアクセスポイント用無線ＬＡＮインターフェース１２１−２との間に無線ＬＡＮ接続を確立しているものとする。疎通判定部１３０−１は、図示せぬ制御部などからの疎通判定開始指示に応じて疎通判定処理を開始する。
【００３０】
先ず、疎通判定部１３０−１は、ステーション用無線ＬＡＮインターフェース１２２−１をして、有線ＬＡＮインターフェース１１０−１を宛先としたＰＩＮＧ信号を、アクセスポイント用無線ＬＡＮインターフェース１２１−２に送信せしめる（ステップＳ１）。
【００３１】
次に、疎通判定部１３０−１は、ステーション用無線ＬＡＮインターフェース１２２−１がＰＩＮＧ信号を送信した時点から所定判別時間が経過するまでの間、有線ＬＡＮインターフェース１１０−１が応答のＰＩＮＧ信号を受信したか否かを判別する（Ｓ２）。
【００３２】
疎通判定部１３０−１は、有線ＬＡＮインターフェース１１０−１が応答のＰＩＮＧ信号を受信したと判別した場合、当該判別時点から所定待機時間が経過するまで待機する（Ｓ３）。疎通判定部１３０−１は、所定待機時間経過後、図示せぬ制御部などからの疎通判定終了指示の有無を確認する（Ｓ４）。疎通判定部１３０−１は、監視終了指示が無ければステップＳ１からの処理を継続し、疎通判定終了指示が有れば疎通判定処理を終了する。
【００３３】
一方、疎通判定部１３０−１は、有線ＬＡＮインターフェース１１０−１が所定判別時間内に応答のＰＩＮＧ信号を受信しなかったと判別した場合、次の判断を行う。すなわち、疎通判定部１３０−１は、応答要求信号の再送回数が、限界再送回数を超えているか否かを判別する（Ｓ５）。
【００３４】
疎通判定部１３０−１は、実際の再送回数が限界再送回数を超えていないと判別した場合、再送回数をカウントアップして（Ｓ６）、ステップＳ１からの処理を継続する。反対に、疎通判定部１３０−１は、実際の再送回数が限界再送回数を超えていると判別した場合、監視対象である無線ＬＡＮアクセスポイント１００−２に障害が発生した旨を障害発生通知信号にて有線ＬＡＮ３００を介して監視装置２００に通知する（Ｓ７）。
【００３５】
疎通判定部１３０−１は、当該通知後、所定待機時間が経過するまで待機する（Ｓ３）。疎通判定部１３０−１は、所定待機時間経過後、図示せぬ制御部などからの疎通判定終了指示が無ければステップＳ１からの処理を継続し、疎通判定終了指示が有れば疎通判定処理を終了する。
【００３６】
図３は、上記した疎通判定処理におけるＰＩＮＧ信号の送受信経路を表す図である。同図中の点線はＰＩＮＧ信号の送信経路ＳＤを表す。ステーション用無線ＬＡＮインターフェース１２２−１によって送信されたＰＩＮＧ信号は、無線ＬＡＮアクセスポイント１００−２に含まれるアクセスポイント用無線ＬＡＮインターフェース１２１−２及び有線ＬＡＮインターフェース１１０−２を順に経由して、有線ＬＡＮインターフェース１１０−１に受信される。同図中の一点鎖線はＰＩＮＧ信号の返信経路ＲＰを表す。有線ＬＡＮインターフェース１１０−１によって返信されたＰＩＮＧ信号は、無線ＬＡＮアクセスポイント１００−２に含まれる有線ＬＡＮインターフェース１１０−２及びアクセスポイント用無線ＬＡＮインターフェース１２１−２を順に経由して、ステーション用無線ＬＡＮインターフェース１２２−１に受信される。
【００３７】
上述したように本実施例による無線ＬＡＮアクセスポイント１００−１は、監視対象である無線ＬＡＮアクセスポイント１００−２と無線ＬＡＮ機能による接続を確立し、自身の無線ＬＡＮインターフェース１２０−１から、自身の有線ＬＡＮインターフェース１１０−１を宛先としたＰＩＮＧ信号を、無線ＬＡＮアクセスポイント１００−２に送信する。
【００３８】
有線ＬＡＮインターフェース１１０−１は、無線ＬＡＮアクセスポイント１００−２を介して当該ＰＩＮＧ信号を受け取ったら、無線ＬＡＮインターフェース１２０−１を宛先としたＰＩＮＧ信号を返信する。更に、無線ＬＡＮアクセスポイント１００−１は、無線ＬＡＮアクセスポイント１００−２を介して有線ＬＡＮインターフェース１１０−１より返信されたＰＩＮＧ信号を、無線ＬＡＮインターフェース１２０−１が受信したか否かを判別する。
【００３９】
このように、ＰＩＮＧ信号の送信及び返信は、監視対象となっている無線ＬＡＮアクセスポイント１００−２を経由してなされるため、無線ＬＡＮアクセスポイント１００−１は、ＰＩＮＧ信号の送受信によって、無線ＬＡＮアクセスポイント１００−２における障害発生の有無を判断することができる。仮に無線ＬＡＮアクセスポイント１００−２の有線若しくは無線インターフェースに障害が発生していれば、無線ＬＡＮアクセスポイント１００−１は、返信のＰＩＮＧ信号を受信できず、これをもって無線ＬＡＮアクセスポイント１００−２に障害が発生していると判断できる。
【００４０】
特に本実施例による無線ＬＡＮアクセスポイントは、有線ＬＡＮインターフェースと無線ＬＡＮインターフェースとの間でＰＩＮＧ信号を送受信するため、一度のＰＩＮＧ信号送受信で監視対象の無線ＬＡＮアクセスポイントの有線及び無線ＬＡＮインターフェースの両方について障害発生の有無を確認することができる。
【００４１】
本実施例においては、無線ＬＡＮアクセスポイント１００−１が無線ＬＡＮアクセスポイント１００−２における障害発生の有無を確認する場合について説明したが、無線ＬＡＮアクセスポイント１００−２〜１００−ｎの各々も、自身を除く無線ＬＡＮアクセスポイント１００−１〜１００−ｎの内のいずれかにおける障害発生有無を同様の処理にて確認できる。
【００４２】
本実施例においては、ステーション用無線ＬＡＮインターフェース１２２−１がＰＩＮＧ信号を送信し、アクセスポイント用無線ＬＡＮインターフェース１２１−２及び有線ＬＡＮインターフェース１１０−２を順に経由して、有線ＬＡＮインターフェース１１０−１が当該ＰＩＮＧ信号を受信する場合について説明したが、これとは逆の経路でＰＩＮＧ信号を送受信しても同様の効果が得られる。
【００４３】
すなわち、有線ＬＡＮインターフェース１１０−１がＰＩＮＧ信号を送信し、有線ＬＡＮインターフェース１１０−２及びアクセスポイント用無線ＬＡＮインターフェース１２１−２を順に経由して、ステーション用無線ＬＡＮインターフェース１２２−１が当該ＰＩＮＧ信号を受信するようにしても良い。この場合、有線ＬＡＮインターフェース１１０−１は、ステーション用無線ＬＡＮインターフェース１２２−１を宛先とするＰＩＮＧ信号を有線ＬＡＮインターフェース１１０−２に送信する。
【００４４】
図４はＰＩＮＧ信号の別の送受信経路を表す図である。同図中の点線は、上述した有線ＬＡＮインターフェース１１０−１が最初にＰＩＮＧ信号を送信する場合の送信経路ＳＤを表す。同図中の一点鎖線はこの場合のＰＩＮＧ信号の返信経路ＲＰを表す。ステーション用無線ＬＡＮインターフェース１２２−１によって返信されたＰＩＮＧ信号は、無線ＬＡＮアクセスポイント１００−２に含まれるアクセスポイント用無線ＬＡＮインターフェース１２１−２及び有線ＬＡＮインターフェース１１０−２を順に経由して、有線ＬＡＮインターフェース１１０−１に受信される。
【図面の簡単な説明】
【００４５】
【図１】ＬＡＮ通信システムを表すブロック図である。
【図２】疎通判定処理ルーチンを表すフローチャートである。
【図３】ＰＩＮＧ信号の送受信経路を表す図である。
【図４】ＰＩＮＧ信号の別の送受信経路を表す図である。
【符号の説明】
【００４６】
１  ＬＡＮ通信システム
１００−１〜１００−ｎ  無線ＬＡＮアクセスポイント
１１０−１〜１１０−ｎ  有線ＬＡＮ  Ｉ／Ｆ（インターフェース）
１２０−１〜１２０−ｎ  無線ＬＡＮ  Ｉ／Ｆ（インターフェース）
１２１−１〜１２１−ｎ  アクセスポイント用無線ＬＡＮ  Ｉ／Ｆ（インターフェース）
１２２−１〜１２２−ｎ  ステーション用無線ＬＡＮ  Ｉ／Ｆ（インターフェース）
１３０−１〜１３０−ｎ  疎通判定部
２００  監視装置
３００  有線ＬＡＮ
【図１】
2009065617.tif 000003
【図２】
2009065617.tif 000004
【図３】
2009065617.tif 000005
【図４】
2009065617.tif 000006